(57)【要約】【課題】吸気口と吹出口とを連通する風路に設けた送風部から発生する風切音が騒音として問題になるという課題がある。その風切音による騒音を吸込口の一部を遮蔽し、騒音の低減することを目的とする。【解決手段】本体ケース１内には、送風機６によって吸気口２から吸い込まれた空気が、空気清浄部８、第１の吸込口１３Ａを介して、吹出口４へ送風される第１の風路１７Ａと、送風機６によって吸気口２から吸い込まれた空気が、空気清浄部８、加湿部７、第２の吸込口１３Ｂを介して、吹出口４へ送風される第２の風路１７Ｂとを備え、第１の吸込口１３Ａは、空気清浄部８と送風機６とを連通する複数の貫通孔１８が設けられ、貫通孔１８の一部が遮蔽板１９によって塞がれている。運転時に発生する風切音による騒音が貫通孔１８の一部を遮蔽する構成により、騒音の低減することが可能となる。【選択図】図４
2019011875.tif 000002
【特許請求の範囲】
【請求項１】
吸気口と吹出口とを有する本体ケースと、
前記本体ケース内に設けた送風機と、
前記送風機によって送風される空気の埃を捕集する空気清浄部を備え、
前記送風機は、
スクロール形状のケーシング部と、
前記ケーシング部に固定されたモータ部と、
前記モータ部によって回転するファン部とを有し、
前記ケーシング部は、前記モータ部の回転軸方向における一方側に設けた第１の吸込口を有し、
前記本体ケース内には、前記送風機によって前記吸気口から吸い込まれた空気が、前記空気清浄部、前記第１の吸込口を介して、前記吹出口へ送風される第１の風路を備え、
前記第１の吸込口は、前記空気清浄部と前記送風機とを連通する複数の貫通孔が設けられ、前記貫通孔の一部が遮蔽板によって塞がれたことを特徴とする加湿空気清浄装置。
【請求項２】
前記送風機によって送風される空気を加湿する加湿部と
前記モータ部の回転軸方向における他方側に設けた第２の吸込口と、
前記送風機によって前記吸気口から吸い込まれた空気が、前記空気清浄部、前記加湿部、前記第２の吸込口を介して、前記吹出口へ送風される第２の風路を備えることを特徴とする請求項１に記載の加湿空気清浄装置。
【請求項３】
前記ケーシング部の前記第１の吸込口には、
前記モータ部を固定するモータカバーと、
前記第１の吸込口の開口縁から前記第１の吸込口の中央へ延び前記モータカバーを支持するカバー支持部材とを有し、
前記遮蔽板は、前記カバー支持部材と一体に設けられていることを特徴とする請求項２に記載の加湿空気清浄装置。
【請求項４】
前記遮蔽板は、前記カバー支持部材より前記ファン部の回転方向における上流側に配置され、前記ファン部の回転方向における上流側から下流側に向かうにつれて徐々に前記ファン部に近づき、前記カバー支持部材と段差なく連結していることを特徴とする請求項３に記載の加湿空気清浄装置。
【発明の詳細な説明】
【技術分野】
【０００１】
本発明は、貯水容器と電極部を備えた加湿空気清浄装置に関するものである。
【背景技術】
【０００２】
従来、この種の加湿空気清浄装置は、吸気口と吹出口を有する本体ケースと、吸気口と吹出口とを連通する風路に設けた送風部と空気浄化部と加湿部とを備え、加湿部は、水を貯水するトレーと、トレーに水を供給するタンクと、トレーに供給された水に下端が浸漬したフィルターとを備えた加湿空気清浄装置が知られている（特許文献１）。
【先行技術文献】
【特許文献】
【０００３】
【特許文献１】特開２００９−２５０４４８号公報
【発明の概要】
【発明が解決しようとする課題】
【０００４】
このような従来の加湿空気清浄装置においては、送風機によって吸気口から吸い込まれた空気が、空気清浄部、送風機の第１の吸込口を介して、吹出口へ送風される第１の風路と、送風機によって吸気口から吸い込まれた空気が、空気清浄部、加湿部、送風機の第２の吸込口を介して、吹出口へ送風される第２の風路とを備えており、第１の吸込口に、空気清浄部と送風機とを連通する複数の貫通孔が設けられると、送風部から発生する風切音が騒音として発生するという課題がある。
【０００５】
そこで本発明は、風切音による騒音を低減した加湿空気清浄装置を提供することを目的とする。
【課題を解決するための手段】
【０００６】
そして、この目的を達成するために、本発明は、
吸気口と吹出口とを有する本体ケースと、前記本体ケース内に設けた送風機と、前記送風機によって送風される空気の埃を捕集する空気清浄部とを備え、前記送風機は、スクロール形状のケーシング部と、前記ケーシング部に固定されたモータ部と、前記モータ部によって回転するファン部とを有し、前記ケーシング部は、前記モータ部の回転軸方向における一方側に設けた第１の吸込口を有し、前記本体ケース内には、前記送風機によって前記吸気口から吸い込まれた空気が、前記空気清浄部、前記第１の吸込口を介して、前記吹出口へ送風される第１の風路を備え、前記第１の吸込口は、前記空気清浄部と前記送風機とを連通する貫通孔が設けられ、前記貫通孔の一部が遮蔽板によって塞がれたことを特徴としたものであり、これにより所期の目的を達成するものである。
【発明の効果】
【０００７】
本発明による加湿空気清浄装置は、
吸気口と吹出口とを有する本体ケースと、前記本体ケース内に設けた送風機と、前記送風機によって送風される空気の埃を捕集する空気清浄部とを備え、前記送風機は、スクロール形状のケーシング部と、前記ケーシング部に固定されたモータ部と、前記モータ部によって回転するファン部とを有し、前記ケーシング部は、前記モータ部の回転軸方向における一方側に設けた第１の吸込口を有し、前記本体ケース内には、前記送風機によって前記吸気口から吸い込まれた空気が、前記空気清浄部、前記第１の吸込口を介して、前記吹出口へ送風される第１の風路を備え、前記第１の吸込口は、前記空気清浄部と前記送風機とを連通する貫通孔が設けられ、前記貫通孔の一部が遮蔽板によって塞がれたものである。
【０００８】
以上の構成により、風切音による騒音を低減できるという効果を得ることができる。
【図面の簡単な説明】
【０００９】
【図１】本発明の実施の形態１の加湿空気清浄装置を示す斜視図
【図２】同加湿空気清浄装置を示す斜視図
【図３】同加湿空気清浄装置を示す断面図
【図４】同加湿空気清浄装置の吸込口を示す正面図
【図５】同加湿空気清浄装置のモータカバーを示す斜視図
【図６】同加湿空気清浄装置の吸込口を示す断面図
【発明を実施するための形態】
【００１０】
以下、本発明の実施の形態について図面を参照しながら説明する。
【００１１】
（実施の形態１）
図１は、本発明の実施の形態１の加湿空気清浄装置の斜視図であり、加湿空気清浄装置を前面側から見た図である。図２は、本発明の実施の形態１の加湿空気清浄装置の斜視図であり、パネルを開いて加湿空気清浄装置を前面側から見た図である。
【００１２】
図３は、本発明の実施の形態１の加湿空気清浄装置の断面図であり、加湿空気清浄装置を右側から見た図である。
【００１３】
図１、２に示すように、本実施形態の加湿空気清浄装置においては、略箱形状の本体ケース１を備え、本体ケース１の両側面には略四角形状の吸気口２を有している。本体ケース１は、床等の水平面に置かれる。本体ケース１の一方側の側面である第１の本体側面１Ａには、縦長四角形状の開口５を備えている。第１の本体側面１Ａは、本体ケース１の前面側から見て、右側の側面である。本体ケース１の開口５には開閉可能なパネル３を備え、パネル３を開くと開口５から後述する本体ケース１内の加湿部７を取り出すことが出来る。本体ケース１の一方側の側面の吸気口２は、パネル３に設けられている。本体ケース１の天面には、開閉式の吹出口４を備えている。図１、２では、吹出口４は、閉じた状態である。
【００１４】
図２、図３に示すように、本体ケース１内には、送風機６と、加湿部７と、空気清浄部８とを備えている。
【００１５】
送風機６は、本体ケース１の中央部に設けられ、モータ部９と、モータ部９により回転するファン部１０と、それらを囲むスクロール形状のケーシング部１１とを備えている。
【００１６】
ファン部１０は、シロッコファンで、モータ部９から水平方向に延びたモータ軸（図示せず）に固定され、モータ部９は、ケーシング部１１に固定されている。
ケーシング部１１は、ケーシング部１１の本体ケース１における上面側に吐出口１２を備え、モータ部９の回転軸方向における一方側に第１の吸込口１３Ａを、モータ部９の回転軸方向における他方側に第２の吸込口１３Ｂを有している。第１の吸込口１３Ａは本体ケース１における前面側に、第２の吸込口１３Ｂは本体ケース１における背面側に配置されている。
【００１７】
加湿部７は、水を貯水する貯水容器１４と、貯水容器１４に水を供給するタンク部材１５と、貯水容器１４内の水に一部が浸漬したフィルター部１６とを備えている。貯水容器１４とフィルター部１６は、送風機６より下方に配置されている。
【００１８】
貯水容器１４は、天面を開口した箱形状をしており、水を貯水できる構造となっており、本体ケース１の下部に配置され、本体ケース１から水平方向にスライドして着脱可能となっている。
【００１９】
タンク部材１５は、本体ケース１内部の一方側の側面に設置され、貯水容器１４から着脱可能な構造となっている。
【００２０】
フィルター部１６は、貯水容器１４に貯水された水と、送風機６によって本体ケース１内に吸込まれた室内空気とを接触させる部材である。円筒状に構成され、円周部分に空気が流通可能な孔を備え、その一端が貯水容器１４の水に浸漬するように、フィルター部１６の水平方向に延びた中心軸を回転中心として貯水容器１４に回転自在に内蔵されている。そして、駆動部（図示しない）による回転され、水と室内空気を連続的に接触させる構造となっている。
【００２１】
空気清浄部８は、縦長箱形状で、濾材が蛇腹形状に折られたものであり、吸気口２の風路風下側で、本体ケース１の前面に対向する位置に設けられている。
【００２２】
本体ケース１内には、吸気口２と吹出口４とを連通する第１の風路１７Ａ、第２の風路１７Ｂとを備えている。
【００２３】
第１の風路１７Ａには、吸気口２から順に、空気清浄部８、送風機６、吹出口４とを備えている。送風機６のモータ部９によってファン部１０が回転すると、吸気口２から第１の風路１７Ａ内に入った外部の空気は、順に、空気清浄部８、第１の吸込口１３Ａ、送風機６、吹出口４を介して、吹き出される。空気清浄部８によって空気の埃が捕集された清浄空気が、吹出口４から吹き出る。
【００２４】
第２の風路１７Ｂには、吸気口２から順に、空気清浄部８、加湿部７（貯水容器１４、フィルター部１６）、送風機６、吹出口４とを備えている。送風機６のモータ部９によってファン部１０が回転すると、吸気口２から第２の風路１７Ｂ内に入った外部の空気は、順に、空気清浄部８、加湿部７であるフィルター部１６、第２の吸込口１３Ｂ、送風機６、吹出口４を介して、吹き出される。空気清浄部８によって空気の埃を捕集され、加湿部７のフィルター部１６によって加湿された清浄加湿空気が、吹出口４から吹き出る。
【００２５】
図４は、本発明の実施の形態１の空気清浄部８をはずした状態の正面図である。運転時には、空気清浄部８は、枠８Ａの内側に嵌合されて保持される。図５は、本発明の実施の形態１の加湿空気清浄装置のモータカバー２０の斜視図である。図６は、本発明の実施の形態１の加湿空気清浄装置の第１の吸込口１３Ａを下流側から見た断面図であり、加湿空気清浄装置における背面側から見た図である。
【００２６】
図４、６に示すように、第１の吸込口１３Ａは、シロッコファンであるファン部１０の羽根車に対向した略円形状の開口となっている。第１の吸込口１３Ａの直径は、ファン部１０の吸込開口の直径と同じ、もしくは、吸込開口の直径よりも大きくするとよい。そして、第１の吸込口１３Ａの中心部にはモータ部９が配置され、モータカバー２０、モータ固定部材２２によって第１の吸込口１３Ａの中心部が塞がれたようになっている。また、モータ部９が配置された中心部よりも外周側では、第１の吸込口１３Ａは、複数の貫通孔１８が設けられた領域と、遮蔽板１９によって塞がれた領域とを有している。貫通孔１８は、網状、あるいは格子状に設けられ、空気清浄部８と送風機６とを連通するものである。貫通孔１８が設けられた領域、遮蔽板１９によって塞がれた領域は、それぞれ扇形となっている。本実施の形態では、貫通孔１８が設けられた領域、遮蔽板１９によって塞がれた領域は、それぞれ２箇所ずつ設けられ、モータ部９の回転軸を中心に対向する位置に設けられている。
【００２７】
このような第１の吸込口１３Ａによれば、モータ部９の周囲に円周方向に貫通孔１８が設けられた領域と遮蔽板１９によって塞がれた領域を設けたことにより、羽根が回転し発生する吸込み量や風切の周波数を変化させ、固有周波数の突出した騒音ピーク値を低減することで、騒音値を下げることができる。また、モータ部９の周囲に円周方向に貫通孔１８が設けられた領域と遮蔽板１９によって塞がれた領域を交互に設けたことにより、羽根が回転し発生する風切音の周波数を変化させ、打ち消しあうように騒音を低減することができる。
【００２８】
また、遮蔽板１９によって、第１の風路１７Ａ、第２の風路１７Ｂの風量バランスを調整することができる。すなわち、遮蔽板１９によって第１の風路１７Ａを通過する面積を制限することによって、第２の風路１７Ｂに流れ易くなる。従って、第１の風路１７Ａ、第２の風路１７Ｂとの風量バランスを取ることにより、風切り音を低減することができるのである。
【００２９】
また、ケーシング部１１の第１の吸込口１３Ａには、モータカバー２０と、カバー支持部材２１とを有している。
【００３０】
モータカバー２０は、椀状のカバー本体２０Ａと、このカバー本体２０Ａから径方向に伸びた略半円筒形状の筒部２０Ｂを有している。筒部２０Ｂは、後述するカバー支持部材２１に被さって略円筒形状となる。筒部２０Ｂにおける一方側、すなわち、カバー本体２０Ａに接続されていない端部には、外方に延びた円環形状のフランジ部２０Ｃが設けられている。筒部２０Ｂとフランジ部２０Ｃとは、樹脂材料によって一体に成形されている。そして、モータ部９は、モータカバー２０内にモータ固定部材２２によって固定されている。モータカバー２０は、第１の吸込口１３Ａの上流側からモータ部９を覆うようにして取り付けられている。
【００３１】
カバー支持部材２１は、半分に切った筒形状であり、モータカバー２０を支持している。カバー支持部材２１は、第１の吸込口１３Ａの開口縁から第１の吸込口１３Ａの中央へ延び、モータ固定部材２２に固定されている。カバー支持部材２１の内部には、モータ部９から延びた電線（図示せず）が配置されている。そして、遮蔽板１９は、カバー支持部材２１と一体に設けられている。遮蔽板１９とカバー支持部材２１が一体化されていることにより、カバー支持部材２１の部材強度が増し、羽根回転時に発生する固有振動数を低減することできる。
【００３２】
また、遮蔽板１９は、カバー支持部材２１よりファン部１０の回転方向における上流側に、カバー支持部材２１に隣接して配置されている。カバー支持部材２１は、ファン部１０の回転方向における上流側から下流側に向かうにつれて徐々にファン部１０に近づき、遮蔽板１９は、カバー支持部材２１と段差なく連結している。さらに詳しく説明すると、遮蔽板１９とカバー支持部材２１のファン部１０側の面は回転軸と直交する平面となっている。一方、カバー支持部材２１のファン部１０と対向していない面は、ファン部１０の回転方向上流側で遮蔽板１９と接続する斜面となっている。
【００３３】
このような構成により、第１の吸込口１３Ａにおける段差をなくし、羽根車回転時の風切音を低減することができる。
【産業上の利用可能性】
【００３４】
本発明にかかる加湿空気清浄装置は、家庭用や事務所用などに使用される加湿装置等として有用である。
【符号の説明】
【００３５】
１    本体ケース
１Ａ    第１の本体側面
２    吸気口
３    パネル
４    吹出口
５    開口
６    送風機
７    加湿部
８    空気清浄部
９    モータ部
１０    ファン部
１１    ケーシング部
１２    吐出口
１３Ａ    第１の吸込口
１３Ｂ    第２の吸込口
１４    貯水容器
１５    タンク部材
１６    フィルター部
１７Ａ    第１の風路
１７Ｂ    第２の風路
１８    貫通孔
１９    遮蔽板
２０    モータカバー
２０Ａ    カバー本体
２０Ｂ    筒部
２０Ｃ    フランジ部
２１    カバー支持部材
２２    モータ固定部材
【図１】
2019011875.tif 000003
【図２】
2019011875.tif 000004
【図３】
2019011875.tif 000005
【図４】
2019011875.tif 000006
【図５】
2019011875.tif 000007
【図６】
2019011875.tif 000008